(57)【要約】  家電製品用底脚及び家電製品であって、家電製品用底脚は、油圧プレート（１００）、油圧プレート（１００）に固定接続されるカバー（２００）、カバー（２００）内に設置されて軸方向に対し移動可能であり、且つ支持面に支持されて接触する支持端部を備える調整脚（３００）、油圧プレート（１００）、カバー（２００）及び調整脚（３００）の間に形成される収容室、収容室内に密封状に収容され、圧力の作用によって圧縮又は膨張することで、調整脚（３００）をカバー（２００）内で軸方向に移動させてレベリングを行う油圧媒体、及び、調整脚（３００）の支持端部に嵌着されて、支持面に対する調整脚（３００）の支持減衰力を増大させる減衰パッド（４００）、を含む。【選択図】図１
2020529554.tif 000002
【特許請求の範囲】
【請求項１】
油圧プレート、
前記油圧プレートに固定接続されるカバー、
カバー内に設置されて軸方向に対し移動可能であり、且つ支持面に支持されて接触する支持端部を備える調整脚、
前記油圧プレート、カバー及び調整脚の間に形成される収容室、
収容室内に密封状に収容され、圧力の作用によって圧縮／膨張することで、調整脚をカバー内で軸方向に移動させてレベリングを行う油圧媒体、及び
調整脚の支持端部に嵌着されて、支持面に対する調整脚の支持減衰力を増大させる減衰パッド、を含むことを特徴とする家電製品用底脚。
【請求項２】
前記調整脚は、一端がカバー内に設置されて軸方向に対し移動可能であり、他端が支持端部となっており、前記支持端部には装着溝が設けられ、前記減衰パッドは装着溝内に嵌着されることを特徴とする請求項１に記載の家電製品用底脚。
【請求項３】
前記装着溝は、支持端部に対し内側に凹陥する第１装着凹溝を含み、前記減衰パッドには上面から突出する第１突起部が備わっており、前記第１突起部が第１装着凹溝内に嵌め込まれることを特徴とする請求項２に記載の家電製品用底脚。
【請求項４】
前記装着溝は、支持端部に対し内側に凹陥する第２装着凹溝を含み、前記第２装着凹溝の深さは第１装着凹溝の深さよりも深く、前記減衰パッドには、上面から突出する第２突起部が備わっており、第２突起部の突出高さは第１突起部よりも高く、前記第１突起部は第１装着凹溝内に対応して嵌め込まれ、第２突起部は第２装着凹溝内に対応して嵌め込まれることを特徴とする請求項３に記載の家電製品用底脚。
【請求項５】
前記第１装着凹溝は、支持端部の中心を中心とする環状の凹溝であり、前記第１突起部は、減衰パッドの上面から突出し、且つ減衰パッドの中心を中心とする環状の段差であり、環状の段差は環状の凹溝と一致しており、前記第２装着凹溝は、支持端部の中心に設置される円形の凹溝であり、前記第２突起部は、減衰パッドの上面から突出し、且つ減衰パッドの中心に位置する突出柱構造であり、突出柱構造は円形の凹溝内に嵌め込まれることを特徴とする請求項４に記載の家電製品用底脚。
【請求項６】
前記第１装着凹溝は、支持端部の底壁の中央部を辺縁よりも低く設置することで形成され、前記第２装着凹溝は、支持端部の底壁の中心位置が調整脚の内部に向かって凹陥することで形成されることを特徴とする請求項４又は５に記載の家電製品用底脚。
【請求項７】
更に、内部に空洞を有するフレキシブル収容体を含み、前記油圧媒体がフレキシブル収容体の空洞に収容され、前記フレキシブル収容体は開口部を有し、且つ油圧プレートに密封状に装着され、油圧プレートは、フレキシブル収容体の内部空間と連通する液体流路を内部に有し、
圧力の変化に伴って、フレキシブル収容体内の油圧媒体は圧縮／膨張し、フレキシブル収容体と液体流路の間で流動することで、調整脚をカバー内で軸方向に移動させてレベリングを行い、
前記フレキシブル収容体には、調整脚の第２装着凹溝に対応して退避部が設けられることを特徴とする請求項６に記載の家電製品用底脚。
【請求項８】
前記フレキシブル収容体は伸縮可能な収容本体を含み、前記開口部は収容本体と連通する小径構造をなしており、前記収容本体は調整脚の内部に設置され、前記収容本体のうち支持端部の内壁と接触する一端は第２装着凹溝に対応して部分的に内側に凹陥し、退避部を形成していることを特徴とする請求項７に記載の家電製品用底脚。
【請求項９】
前記油圧プレートの一端の端面には装着用突出柱が設けられており、前記フレキシブル収容体の開口部は装着用突出柱を覆って密封状に油圧プレートに装着され、装着用突出柱の端部には凹溝が設けられていることを特徴とする請求項７に記載の家電製品用底脚。
【請求項１０】
請求項１〜９のいずれかに記載の家電製品用底脚を備える家電製品。
【発明の詳細な説明】
【技術分野】
【０００１】
本発明は、家電製品の支持及びレベリングの技術分野に関し、具体的には、家電製品用底脚及び家電製品に関する。
【背景技術】
【０００２】
一般的に、家電製品はハウジングの底部にレベリング装置が設けられており、家電製品の設置時にレベリング装置を調節することで安定した設置状態を達成可能である。また、レベリングして設置したあと、レベリング装置は安定を維持するよう家電製品を支持可能である。
【０００３】
洗濯機の場合を例示すると、一般的に、従来の洗濯機はハウジング又は全体の底部にボルト底脚が装着されている。ボルト底脚は、ボルト、ナットワッシャ及びゴムパッドを含む。ナットワッシャはボルト上で上下に回転可能とされ、ボルトもまたハウジング底板のネジ孔内で上下に回転可能とされる。底板のネジ孔に対するボルト底脚のボルトのねじ込み長さによって洗濯機の高さ調整が実現されるが、大部分の洗濯機では、底脚を反時計回りに回転させることで高さが高くなり、時計回りに回転させることで高さが低くなるよう調整される。当該ボルト底脚の高さを調整したあと、緩み防止用のナットワッシャをしっかりと締めることで安定が維持される。
【０００４】
前記洗濯機の底脚によって洗濯機のレベリングは実現されるものの、ユーザは手動で調節を行わねばならない。そのため、洗濯機の重量が重かったり、設置スペースが狭かったりする場合にはユーザの操作に不都合が生じる。また、洗濯機の長期的な動作過程で生じる震動もまた底脚のレベリングに影響を及ぼし、支持機能を容易に喪失させる結果、洗濯機の設置が水平でなくなる。
【０００５】
例えば、従来の８ＫＧドラム洗濯機は一般的に８０Ｋｇ程度と大重量のため、消費者が調節するには極めて不便であり、仮に調節を終えたとしても洗濯機を最適な状態に調整できる保証はない。洗濯機は洗浄時において、特に、０ｒ／ｍｉｎから１４００ｒ／ｍｉｎ程度まで加速して脱水する際に、水平でなかったり脚が機能しなかったりとの問題があると非常に大きく震動し、消費者の使用快適性に極めて大きな影響を及ぼす。
【０００６】
このほか、洗濯機が水平でないことに伴う震動によって底脚のネジが緩み、底脚のブラケットが垂直に移動する場合がある。洗濯機の水平状態はこのような不安定性により変動し、更に強い震動を招来し得る。こうした悪循環によって、洗濯機の使用期間が長くなるほど騒音が大きくなり、洗濯機自体も一定の損傷を受けることから、使用寿命が短縮してしまう。
【０００７】
したがって、従来の洗濯機におけるレベリングには、手動で調節せねばならないため時間と手間がかかり、且つ、精度にも劣るとの課題が存在する。
【０００８】
上記に鑑みて、本発明を提案する。
【発明の概要】
【発明が解決しようとする課題】
【０００９】
上記の課題を解決するために、本発明の第１の目的は、家電製品用底脚を提供することである。具体的には、以下の技術方案を用いる。
【課題を解決するための手段】
【００１０】
家電製品用底脚であって、油圧プレート、前記油圧プレートに固定接続されるカバー、  カバー内に設置されて軸方向に対し移動可能であり、且つ支持面に支持されて接触する支持端部を備える調整脚、前記油圧プレート、カバー及び調整脚の間に形成される収容室、収容室内に密封状に収容され、圧力の作用によって圧縮／膨張することで、調整脚をカバー内で軸方向に移動させてレベリングを行う油圧媒体、及び、調整脚の支持端部に嵌着されて、支持面に対する調整脚の支持減衰力を増大させる減衰パッド、を含む。
【００１１】
更に、前記調整脚は、一端がカバー内に設置されて軸方向に対し移動可能であり、他端が支持端部となっている。前記支持端部には装着溝が設けられ、前記減衰パッドは装着溝内に嵌着される。
【００１２】
更に、前記装着溝は、支持端部に対し内側に凹陥する第１装着凹溝を含み、前記減衰パッドには上面から突出する第１突起部が備わっており、前記第１突起部が第１装着凹溝内に嵌め込まれる。
【００１３】
更に、前記装着溝は、支持端部に対し内側に凹陥する第２装着凹溝を含む。前記第２装着凹溝の深さは第１装着凹溝の深さよりも深い。前記減衰パッドには、上面から突出する第２突起部が備わっている。第２突起部の突出高さは第１突起部よりも高い。前記第１突起部は第１装着凹溝内に対応して嵌め込まれ、第２突起部は第２装着凹溝内に対応して嵌め込まれる。
【００１４】
更に、前記第１装着凹溝は、支持端部の中心を中心とする環状の凹溝であり、前記第１突起部は、減衰パッドの上面から突出し、且つ減衰パッドの中心を中心とする環状の段差である。環状の段差は環状の凹溝と一致している。前記第２装着凹溝は、支持端部の中心に設置される円形の凹溝であり、前記第２突起部は、減衰パッドの上面から突出し、且つ減衰パッドの中心に位置する突出柱構造である。突出柱構造は円形の凹溝内に嵌め込まれる。
【００１５】
更に、前記第１装着凹溝は、支持端部の底壁の中央部を辺縁よりも低く設置することで形成され、前記第２装着凹溝は、支持端部の底壁の中心位置が調整脚の内部に向かって凹陥することで形成される。
【００１６】
更に、内部に空洞を有するフレキシブル収容体を含み、前記油圧媒体がフレキシブル収容体の空洞に収容される。前記フレキシブル収容体は開口部を有し、且つ油圧プレートに密封状に装着される。油圧プレートは、フレキシブル収容体の内部空間と連通する液体流路を内部に有する。圧力の変化に伴って、フレキシブル収容体内の油圧媒体は圧縮／膨張し、フレキシブル収容体と液体流路の間で流動することで、調整脚をカバー内で軸方向に移動させてレベリングを行う。前記フレキシブル収容体には、調整脚の第２装着凹溝に対応して退避部が設けられる。
【００１７】
更に、前記フレキシブル収容体は伸縮可能な収容本体を含み、前記開口部は収容本体と連通する小径構造をなしている。前記収容本体は調整脚の内部に設置される。前記収容本体のうち支持端部の内壁と接触する一端は第２装着凹溝に対応して部分的に内側に凹陥し、退避部を形成している。
【００１８】
更に、前記油圧プレートの一端の端面には装着用突出柱が設けられている。前記フレキシブル収容体の開口部は装着用突出柱を覆い、密封状に油圧プレートに装着される。装着用突出柱の端部には凹溝が設けられている。
【００１９】
本発明の第２の目的は、上記いずれかに記載の家電製品用底脚を備える家電製品を提供することである。
【発明の効果】
【００２０】
本発明の家電製品用底脚は油圧の原理に基づく。水平でないために生じた圧力差により油圧媒体が流動することで、底脚は、家電製品用底脚が平衡を取って油圧媒体の流動が停止し、自動レベリングを実現するまで、適応的な調整を自動で行う。
【００２１】
本発明の家電製品用底脚では、減衰パッドと調整脚が嵌め込み式で装着される。嵌め込み式の装着構造は合理的であり、家電製品用底脚の調整脚の高さに影響を及ぼさないため、内部空間が合理的に利用される。また、減衰パッドと調整脚との接続強度を極めて大きく向上させられるため、減衰パッドの抜け落ちの恐れが回避される。
【図面の簡単な説明】
【００２２】
【図１】図１は、本発明の実施例にかかる家電製品用底脚の立体構造を示す第１の図である。
【図２】図２は、本発明の実施例にかかる家電製品用底脚の立体構造を示す第２の図である。
【図３】図３は、本発明の実施例にかかる家電製品用底脚の平面図である。
【図４】図４は、本発明の実施例にかかる家電製品用底脚の図３のＡ−Ａ面に沿う断面図（伸長状態）である。
【図５】図５は、本発明の実施例にかかる家電製品用底脚の図３のＡ−Ａ面に沿う断面図（圧縮状態）である。
【発明を実施するための形態】
【００２３】
以下に、図面を組み合わせて、本発明における家電製品用底脚及び家電製品につき詳細に述べる。
【実施例１】
【００２４】
図１〜図５に示すように、本実施例における家電製品用底脚は、油圧プレート１００、前記油圧プレート１００に固定接続されるカバー２００、カバー２００内に設置されて軸方向に対し移動可能であり、且つ支持面に支持されて接触する支持端部を備える調整脚３００、前記油圧プレート１００、カバー２００及び調整脚３００の間に形成される収容室、収容室内に密封状に収容され、圧力の作用によって圧縮／膨張することで、調整脚３００をカバー２００内で軸方向に移動させてレベリングを行う油圧媒体、及び、調整脚３００の支持端部に嵌着されて、支持面に対する調整脚３００の支持減衰力を増大させる減衰パッド４００、を含む。
【００２５】
本実施例における家電製品用底脚は、油圧の原理に基づく。水平でないために生じた圧力差により油圧媒体が流動することで、調整脚３００は、家電製品用底脚が平衡を取って油圧媒体の流動が停止し、自動レベリングを実現するまで、適応的な調整を自動で行う。
【００２６】
本実施例の減衰パッド４００は、調整脚３００の支持端部に嵌着されて、支持面に対する家電製品用底脚の減衰力を増大させるものであり、良好な「滑り防止」作用を有して支持の安定性を確保する。
【００２７】
また、減衰パッド４００は、横方向の作用力を受けて一定時間が経過した場合、調整脚３００との接続が十分に堅固でないと容易に抜け落ちてしまう。そのため、本実施例の減衰パッド４００には嵌め込み式の装着方式を採用し、調整脚３００との接続の緊密性を大きく増大させることで抜け落ちを回避する。
【００２８】
具体的に、本実施例の前記調整脚３００は、一端がカバー２００内に設置されて軸方向に対し移動可能であり、他端が支持端部となっている。前記支持端部には装着溝が設けられ、前記減衰パッド４００が装着溝内に嵌着される。本実施例では、減衰パッド４００を調整脚３００の装着溝内に嵌着するため、横方向の作用力を受けた場合、減衰パッド４００は装着溝によって横方向に位置規制及び阻止される。これにより、減衰パッド４００が、横方向の作用力によって調整脚３００に対し横方向に変位して抜け落ちるとの事態が回避される。
【００２９】
本実施例の一実施形態として、前記装着溝は、支持端部に対し内側に凹陥する第１装着凹溝３０４を含む。前記減衰パッド４００には上面から突出する第１突起部４０２が備わっており、前記第１突起部４０２が第１装着凹溝３０４内に嵌め込まれる。
【００３０】
更に、前記装着溝は、支持端部に対し内側に凹陥する第２装着凹溝３０６を含む。前記第２装着凹溝３０６の深さは第１装着凹溝３０４の深さよりも深い。また、前記減衰パッド４００には、上面から突出する第２突起部４０３が備わっている。第２突起部４０３の突出高さは第１突起部４０２よりも高い。前記第１突起部４０２は第１装着凹溝３０４内に対応して嵌め込まれ、第２突起部４０３は第２装着凹溝３０６内に対応して嵌め込まれる。
【００３１】
本実施例の装着凹溝は、深さの異なる第１装着凹溝３０４と第２装着凹溝３０６を含む。また、これに対応して、減衰パッド４００には高さの異なる第１突起部４０２と第２突起部４０３が備わっている。こうして、減衰パッド４００を調整脚３００の装着溝内に対応して嵌め込むことで位置決め及び装着する。且つ、深さの異なる装着凹溝と高さの異なる突起部によって、減衰パッド４００の嵌め込み式の装着がいっそう緊密となるため、より大きな横方向の作用力に抵抗可能となる。
【００３２】
具体的に、本実施例で記載する第１装着凹溝３０４は、支持端部の中心を中心とする環状の凹溝である。前記第１突起部４０２は、減衰パッド４００の上面から突出し、且つ減衰パッド４００の中心を中心とする環状の段差である。環状の段差は環状の凹溝と一致している。また、前記第２装着凹溝３０６は、支持端部の中心に設置される円形の凹溝である。前記第２突起部４０３は、減衰パッド４００の上面から突出し、且つ減衰パッド４００の中心に位置する突出柱構造である。突出柱構造は円形の凹溝内に嵌め込まれる。
【００３３】
本実施例における環状の段差と環状の凹溝を嵌め込み式で装着することで、減衰パッドが受ける一般的な横方向の作用力に抵抗可能となる。また、突出柱構造と円形の凹溝を嵌め込み式で装着することで、減衰パッドが受ける比較的大きな横方向の衝撃力に抵抗可能となる。このように、本実施例における減衰パッド４００と調整脚３００との嵌め込み式の装着によれば、より広い範囲の横方向の作用力に抵抗可能となり、減衰パッド３００が横方向の作用力によって横向きに移動し、抜け落ちるとの事態が回避される。
【００３４】
更に、本実施例で記載する第１装着凹溝３０４は、支持端部の底壁の中央部を辺縁よりも低く設置することで形成される。また、前記第２装着凹溝３０６は、支持端部の底壁の中心位置が調整脚の内部に向かって凹陥することで形成される。
【００３５】
本実施例の家電製品用底脚は、内部に空洞を有するフレキシブル収容体５００を更に含み、前記油圧媒体がフレキシブル収容体５００の空洞内に収容される。前記フレキシブル収容体５００は開口部５０２を有し、油圧プレート１００に密封状に装着される。油圧プレート１００は、フレキシブル収容体５００の内部空間と連通する液体流路を内部に有する。
【００３６】
圧力の変化に伴って、フレキシブル収容体５００内の油圧媒体は圧縮／膨張し、フレキシブル収容体５００と液体流路の間で流動する。これにより、調整脚３００がカバー２００内で軸方向に移動してレベリングを行う。
【００３７】
前記フレキシブル収容体５００には、調整脚３００の第２装着凹溝３０６に対応して退避部５０３が設けられる。
【００３８】
第２装着凹溝３０６は、支持端部の底壁の中心位置が調整脚の内部に向かって凹陥することで形成されるため、これに対応して、調整脚の内部の底壁には柱状の突起３０５が形成される。退避部５０３は、柱状の突起３０５に対応して設置されるものであり、柱状の突起３０５を回避するために設けられる。
【００３９】
更に、前記フレキシブル収容体５００は伸縮可能な収容本体５０１を含む。また、前記開口部５０２は収容本体５０１と連通する小径構造をなしている。前記収容本体５０１は調整脚３００の内部に設置される。前記収容本体５０１のうち支持端部の内壁と接触する一端は、第２装着凹溝３０６に対応して部分的に内側に凹陥し、退避部５０３を形成している。
【００４０】
本実施例の減衰パッド４００のうち支持面と接触する面には減衰リブ４０１が設けられている。これにより、減衰作用が増大し、支持面に対する摩擦力が向上するため、安定性が強化される。本実施例の減衰パッド４００には、ゴムパッド等を使用可能である。
【００４１】
また、本実施例で記載する油圧プレート１００の一端の端面には装着用突出柱が設けられている。前記フレキシブル収容体５００の開口部５０２は装着用突出柱を覆い、密封状に油圧プレート１００に装着される。装着用突出柱の端部には凹溝１０８が設けられている。
【００４２】
本実施例の減衰パッド４００と調整脚との接続方式は、金型型内での射出成形や接着等とすればよい。本実施例の接続方式は簡単であり、且つ安定性が強く、抜け落ちが回避される。
【００４３】
本実施例の減衰パッド４００と調整脚３００は嵌め込み式で装着される。嵌め込み式の装着構造は合理的であり、家電製品用底脚の調整脚３００の高さに影響を及ぼさないため、内部空間が合理的に利用される。また、減衰パッド４００と調整脚３００との接続強度を極めて大きく向上させられるため、減衰パッドの抜け落ちの恐れが回避される。
【実施例２】
【００４４】
図１〜５に示すように、本実施例における家電製品用底脚は、油圧プレート１００、前記油圧プレート１００に固定接続されるカバー２００、カバー２００内に設置されて軸方向に対し移動可能な調整脚３００、前記油圧プレート１００、カバー２００及び調整脚３００の間に形成される収容室、前記収容室内に設けられる油圧媒体、を含む。圧力の変化に伴って前記油圧媒体が圧縮／膨張することで、調整脚３０がカバー２００内で軸方向に移動し、レベリングを行う。
【００４５】
本実施例における家電製品用底脚は、油圧の原理に基づく。水平でないために生じた圧力差により油圧媒体が流動することで、調整脚は、家電製品用底脚が平衡を取って油圧媒体の流動が停止し、自動レベリングを実現するまで、適応的な調整を自動で行う。
【００４６】
本実施例における家電製品用底脚は、前記油圧プレート１００に、家電製品の底板に固定接続される第１装着構造１０３が設けられている。また、前記油圧プレート１００には、カバー２００に固定接続される第２装着構造１０４が設けられている。
【００４７】
本実施例では、調整脚３００を軸方向に移動可能にカバー２００内に嵌設してから、第２装着構造１０４によって油圧プレート１００をカバー２００に固定接続することで、家電製品用底脚単体の組み立てを実現する。そして、組み立てを完了した家電製品用底脚全体を、第１装着構造１０３によって家電製品の底板に装着することで、家電製品に対する家電製品用底脚の装着を実現する。
【００４８】
本実施例では、第２装着構造１０４により家電製品用底脚の組み立てを実現し、第１装着構造１０３により家電製品に対する家電製品用底脚の装着を実現する。このように、別々の装着構造によって対応する装着を実現することから、家電製品用底脚全体の安定性と、家電製品に対する装着の安定性が確保される。
【００４９】
本実施例における家電製品用底脚は、油圧プレート１００を家電製品の底部に直に固定し、且つ、カバー２００と油圧プレート１００を固定接続している。このように、油圧プレート１００は家電製品の底部とカバー２００により挟まれるため、油圧プレート１００とカバー２００との固定接続強度は必須ではない。これらの接続は、一体的な底脚とすることが主な目的であるため、接続箇所の強度は、家電製品の重力の大きさや調整脚３００の支持力の大きさに関係しない。そのため、本発明の家電製品用底脚によれば、油圧プレート１００とカバー２００の迅速且つ確実な固定接続を実現可能である。且つ、これらの接続強度に対する要求が低下するため、接続に要するスペースや高さを更に抑えられる。
【００５０】
上述したように、本実施例の家電製品用底脚は構造がよりシンプルとなる。また、装着もいっそう容易となり、より良好な安定性を有する。
【００５１】
また、本実施例における家電製品用底脚の構造設計によれば、全体の高さを低下させられるため、家電製品がより良好な制震効果を有する。例えば、洗濯機の場合、本発明の家電製品用底脚は、洗濯機の脱水時の震動に対しより良好な制震効果を有する。
【００５２】
本実施例の好ましい実施形態として、前記第１装着構造１０３は、油圧プレートに設けられた第１装着孔である。前記油圧プレート１００は、第１接続部材を第１装着孔に挿通することで家電製品の底板に固定接続される。
【００５３】
具体的に、本実施例で記載する第１装着孔はネジ孔であり、前記第１接続部材はネジである。前記家電製品の底板には、ネジを挿通するための装着孔が設けられている。前記ネジが底板の装着孔を貫通して油圧プレート１００のネジ孔に装着されることで、固定装着が実現される。
【００５４】
具体的に、本実施例で記載する第２装着構造１０４は第２装着孔である。前記油圧プレートは、第２接続部材を第２装着孔に挿通することでカバーに固定接続される。
【００５５】
更に、本実施例で記載するカバー２００の上端は、外側に折り返されて装着平面を形成している。装着平面は、油圧プレート１００の底面に密着して固定接続される。前記装着平面には、第２装着孔に対応する第４装着孔が開設されている。
【００５６】
本実施例では、カバー２００の装着平面を油圧プレート１００に密着させる。これにより、いっそう多くの圧力を装着平面に伝達して分散させられるため、油圧プレート１００が過剰な圧力を受けるとの事態が回避される。油圧プレート１００の内部には、油圧媒体が流動する液体流路が備わっている。油圧プレート１００の安定性は、家電製品用底脚全体の安定的なレベリングの要となる。本実施例では、装着平面がカバー２００の上端から外側に折り返されて形成されるため、カバー２００と油圧プレート１００との装着接触面が拡大する。よって、油圧プレート１００からカバー２００の装着平面に対する力の伝達の安定性及び分散性にいっそう有利となる。
【００５７】
また、カバー２００の装着平面と油圧プレート１００は密着状に固定接続される。そのため、カバー２００又は油圧プレート１００に装着構造を設計する必要がなく、家電製品用底脚の構造全体が低くなる。
【００５８】
更に、本実施例で記載する装着平面の外輪郭は油圧プレート１００の外輪郭と一致しており、前記装着平面と油圧プレート１００の底面が密着して固定接続される。これにより、油圧プレート１００にかかる圧力をカバー２００の装着平面にいっそう良好に伝達可能となるため、油圧プレート１００が部分的に装着平面の作用を受けないことによる応力の集中が回避される。よって、油圧プレート内における油圧媒体の安定的な流動にいっそう有利となる。
【００５９】
好ましくは、本実施例で記載する油圧プレート１００の外輪郭は、装着平面の外輪郭と類似しているか同一である。この場合、両者を対応させるだけでよいため、装着がよりシンプル且つ容易となる。
【００６０】
具体的に、本実施例で記載するカバー２００は、内部が中空のスリーブ部を含む。調整脚３００は一端がスリーブ部内に嵌設され、軸方向に対し移動可能である。前記スリーブ部の上端は外側に折り返されて装着平面を形成しており、装着平面と油圧プレート１００の底面が密着して固定接続される。本実施例の装着平面はスリーブ部の上端が外側に折り返されて形成され、調整脚３００がカバー２００内で軸方向に移動する。且つ、カバー２００全体を拡大するのではなく、装着平面部分の面積だけを拡大しているため、材料の節約となり、コストが低下する。
【００６１】
更に、本実施例で記載する油圧プレート１００は四角形の平板構造をなしており、前記スリーブ部は円筒状構造をなしている。また、円筒状構造の上端は、外側に折り返されて油圧プレートと一致する四角形の装着平面を形成している。前記四角形の平板構造は、四角形の装着平面に密着して固定接続される。
【００６２】
具体的に、本実施例で記載する油圧プレートの四隅には、少なくとも１つの第２装着構造１０４がそれぞれ設けられ、各装着構造の少なくとも一方の側に第１装着構造１０３が設けられる。
【００６３】
好ましくは、前記油圧プレート１００の四隅に第１装着孔が１つずつ設けられ、各第１装着孔の両側に第２装着孔がそれぞれ設けられる。
【００６４】
本実施例の装着方式として、本実施例で記載するカバー２００と油圧プレート１００は、係接、又は接着、又は熱溶融、又は溶接といった方式で固定接続してから家電製品の底部に固定装着してもよい。
【００６５】
本実施例の油圧プレート１００は、プラスチックを一体的に射出成形するか、金属をダイカストして形成される。また、前記カバー２００は、プラスチックを一体的に射出成形するか、金属材料をダイカストして形成される。
【００６６】
本実施例における家電製品用底脚が受ける力の特性に応じて、好ましくは、前記油圧プレート１００はプラスチックを一体的に射出成形して形成され、前記カバー２００は金属をダイカストして形成される。カバー２００は大きな力を受けるため、金属をダイカストすることで強度を保証する。これにより、本実施例の家電製品用底脚は、製造コストを更に抑えつつ、全体強度を保証可能となる。
【００６７】
家電製品の重力の一部は底板を通じて油圧プレート１００にＦ１を付与するが、油圧プレート１００の平面は、受けた力をカバー２００の装着平面に伝達可能である。また、油圧プレート１００の内部において、これが油圧により調整脚３００に伝達されて、調整脚３００が同様に支持面からの支持力Ｆ２を受ける。このとき、Ｆ１＝Ｆ２となる。そして、調整脚３００からの力が油圧プレート１００の平面に伝達されると、油圧プレート１００はこれを家電製品の底板に伝達する。このような設計によれば、油圧プレート１００は、内部の液体流路からの圧力、洗濯機の重力の一部及び調整脚３００の支持力を受けるが、いずれもカバー２００の装着平面、調整脚３００及び家電製品の底板に伝達される。
【００６８】
本実施例の好ましい実施形態として、本実施例の家電製品用底脚は、内部に収容室を有するフレキシブル収容体５００を更に含み、前記油圧媒体がフレキシブル収容体５００内に収容される。前記油圧プレート１００には、フレキシブル収容体５００を密封状に装着する第３装着構造１０５が設けられている。
【００６９】
具体的に、前記油圧プレート１００の内部には液体流路が設けられており、前記フレキシブル収容体５００は開口部５０２を有する。前記フレキシブル収容体５００の開口部は、圧縮リング６００を介して油圧プレート１００の底面に固定装着されるとともに、液体流路と連通する。前記第３装着構造１０５は第３装着孔であり、前記圧縮リング６００は、第３接続部材により第３装着孔に組み付けられる。
【００７０】
更に、本実施例で記載する第３装着孔は油圧プレート１００の中央部に設けられる。前記第３装着孔は少なくとも４つあり、それぞれ油圧プレート１００の四隅に対応して設けられる。
【００７１】
本実施例の好ましい実施形態として、本実施例で記載するフレキシブル収容体５００の開口部５０２は、圧縮リング６００を介して油圧プレート１００の底面に固定装着される。圧縮リング６００は、油圧プレート１００とともに開口部を押圧し、変形させて密封する。本実施例では、圧縮リング６００で開口部を押圧し、変形させて密封するため、いっそうシンプル且つ容易であり、密封効果も良好となる。
【００７２】
更に、前記圧縮リング６００はフレキシブル収容体５００の開口部５０２に覆設される。圧縮リング６００は、油圧プレート１００とともに開口部を押圧し、変形させて密封する。本実施例では、フレキシブル収容体５００の密封装着時に、小径部を圧縮リング６００に嵌設してから、圧縮リング６００を固定装着し、緊締過程において圧縮リング６００で開口部を押圧するだけで密封装着を実現可能である。
【００７３】
本実施例の一実施形態として、前記油圧プレート１００の底面には油圧プレート凹溝１０７が設けられる。前記フレキシブル収容体５００の開口部は、圧縮リング６００により押圧されて変形し、油圧プレート凹溝１０７に押し込まれることで密封される。このような方式によれば、圧縮リング６００を緊締し、フレキシブル収容体５００の開口部を押圧により変形させて、油圧プレート凹溝１０７内に押し込むことで密封を実現可能である。本構造はシンプルであり、密封が確実且つ効果的となる。
【００７４】
好ましくは、前記油圧プレート凹溝１０７と圧縮リング６００により取り囲まれる容積が、フレキシブル収容体５００の開口部の体積よりも小さい。これにより、フレキシブル収容体５００の開口部と油圧プレート凹溝１０７がしっかりと接触し、密封性が確保される。
【００７５】
本実施例の圧縮リング６００は、固定装置により油圧プレート１００に固定される。具体的には、ボルト／ネジにより固定接続可能である。前記圧縮リング６００には圧縮リング装着孔が開設されており、前記ボルト／ネジを圧縮リング装着孔に挿通することで、油圧プレート１００の第３装着孔に緊締する。
【００７６】
本実施例のフレキシブル収容体５００は収容本体５０１を含む。収容本体５０１は軟性の袋状構造をなしており、伸縮可能なコルゲート構造を有する。コルゲート構造は調整脚３００内に設けられ、油圧媒体の流動に伴い伸縮することで、調整脚３００をカバー２００内で軸方向に移動させてレベリングを行う。
【００７７】
本実施例の家電製品用底脚は、フレキシブル収容体５００を保護する保護リング７００を更に含み、前記圧縮リング６００が保護リング７００内に嵌設される。これにより、次のような技術的効果を有する。
【００７８】
１．本実施例の圧縮リング６００と保護リング７００は嵌め込み式で装着されるため、位置規制作用を奏することが可能である。よって、複雑な位置規制構造を設ける必要がなく、シンプル且つ安定的となる。
【００７９】
２．本実施例の家電製品用底脚は、極めて大きな衝撃や圧力を受けた場合（例えば、当該家電製品用底脚を装着して使用する家電製品又は物品が落下したり、持ち上げられたあとに突然放置されたりした場合）、保護リング７００とフレキシブル収容体５００の圧着面には全く隙間が存在しないため、フレキシブル収容体５００がこれにより膨張して破裂する等の問題が回避される。よって、信頼性が向上する。
【００８０】
３．本実施例の圧縮リング６００と保護リング７００は嵌め込み式で装着されるため、圧縮リング６００と保護リング７００の装着高さが低下する。これにより、家電製品用底脚の高さ全体が低下し、家電製品への装着時に重心全体に及ぼす影響が小さくなるため、家電製品の支持の安定性にいっそう有利となる。また、家電製品の動作過程での震動（例えば、洗濯機の脱水時の震動）に対しより良好な制震効果を有する。
【００８１】
本実施例の好ましい実施形態として、前記保護リング７００の一端には保護曲面が設けられている。保護曲面は、フレキシブル収容体５００が圧力を受けて破損しないよう、フレキシブル収容体５００の外部表面に係合する。
【００８２】
本実施例における保護リング７００の他端には嵌入溝が設けられ、前記圧縮リング６００が保護リング７００の嵌入溝に嵌め込まれる。
【００８３】
本実施例の好ましい実施形態として、前記保護リング７００の嵌入溝の内壁には位置規制凸部が設けられる。また、前記固定部材には、位置規制凸部と係合する位置規制凹部が設けられる。本実施例の位置規制構造は、圧縮リング６００と保護リング７００の嵌め込み式の装着に応じて設計され、嵌着とともに運動の位置規制も実現する。本構造はシンプルであり、安定的且つ確実である。
【００８４】
本実施例の嵌入溝の深さは、圧縮リング６００の厚さよりも大きい。これにより、圧縮リング６００が完全に嵌入溝内に嵌め込まれ、装着高さが最大限低下するため、家電製品用底脚の高さ全体が低下する。且つ、家電製品用底脚が水平でない状態では、フレキシブル収容体５００にかかる圧力に差ができるため、油圧媒体が流動する。そして、フレキシブル収容体５００が伸縮することで、調整脚３００がカバー２００内で軸方向に運動し、レベリングを行う。フレキシブル収容体５００の伸縮は自ずと保護リング７００に作用するため、保護リング７００は、嵌入溝と圧縮リング６００との嵌め合いにより規制されつつ、軸方向に移動する。
【００８５】
本実施例の構造設計によれば、保護リング７００の外周が前記圧縮リング６００を完全に取り囲み、保護リング７００のみが調整脚３００に圧入されるため、信頼性及び密着の安定性が極めて大きく向上する。これにより、本実施例の保護リング７００は、調整脚３００に圧入されたあと、調整脚３００内で終始安定的に軸方向に移動する。よって、移動が円滑且つ確実となり、家電製品用底脚全体の更なる安定性が実現される。また、保護リング７００と圧縮リング６００は、上下に一定の遊びを有してもよい。
【００８６】
本実施例における家電製品用底脚のカバー２００及び／又は調整脚３００には、カバー２００に対する調整脚３００の周方向の回動を規制するための案内位置規制機構が設けられる。また、前記油圧プレート１００には、案内位置規制機構に対応して退避口１０６が設けられる。
【００８７】
本実施例の家電製品用底脚による油圧の原理を利用した家電製品の自動レベリングはシンプル且つ確実である。調整脚３００は軸方向に対し移動可能にカバー２００内に設置されるが、家電製品の調節は上下方向に限られる。そこで、レベリングの安定性を保証するために、カバー２００に対する調整脚３００の回動を規制する必要がある。よって、本実施例の案内位置規制機構は、調整脚３００がカバー２００に対し所望の方向に運動するよう規制する。
【００８８】
一般的に、家電製品（例えば、洗濯機）の動作時には震動が発生する。家電製品の運転の安定性を保証するために、本実施例の家電製品用底脚は、全体の高さを可能な限り低下させて家電製品の重心を下げる必要がある。そこで、本実施例では、油圧プレート１００に、案内位置規制機構に対応して退避口１０６を設けている。これにより、案内位置規制機構の設置を可能としながら、調整脚３００の軸方向の移動に影響することなく家電製品用底脚の高さ全体を低下させられるため、制震時の安定性が向上する。具体的に、前記案内位置規制機構は、カバーの内壁に設けられる案内位置規制凹溝／案内位置規制凸部と、これに応じて調整脚の外壁に設けられる案内位置規制凸部／案内位置規制凹溝を含む。前記案内位置規制凸部は、カバーに対する調整脚の周方向の回動を規制するよう、相対的に摺動可能に案内位置規制凹溝内に設けられる。本実施例では、案内位置規制凹溝と案内位置規制凸部の連携によって調整脚３００の軸方向の移動を規制可能であり、構造がシンプル且つ確実である。
【００８９】
本実施例における前記退避口１０６は、調整脚３００の案内位置規制凸部／案内位置規制凹溝に対応して設けられる。調整脚３００が油圧プレート１００に向かって運動すると、調整脚３００の案内位置規制凸部／案内位置規制凹溝の一端が退避口１０６に進入する。本実施例では、調整脚３００の軸方向の移動に対し、案内位置規制機構がどのような機構であるかに関わらず、退避部を調整脚３００の案内位置規制凸部／案内位置規制凹溝に対応するよう設ければよい。これにより、調節高さを変更することなく、家電製品用底脚の高さ全体が低下し、且つ、案内位置規制の安定性が保証される。
【００９０】
本実施例の好ましい実施形態として、前記カバー２００の内壁には、軸方向に沿って案内位置規制凹溝２０１が設けられ、前記調整脚３００の外壁に案内位置規制凸部が設けられる。前記案内位置規制凸部は、カバー２００に対する調整脚３００の周方向の回動を規制するよう、相対的に摺動可能に案内位置規制凹溝内に設けられる。
【００９１】
本実施例で記載する退避口１０６は、案内位置規制凸部に対応して油圧プレート１００に設けられる。前記調整脚３００がカバー２００内で軸方向に上下に移動すると、案内位置規制凸部の一端が退避口１０６に対し進入／退出する。
【００９２】
このように、本実施例の家電製品用底脚は、案内位置規制凸部の一端が退避口１０６に対し進入／退出することから、同じ全体高さのままで、より大きな調節高さを持つことが可能である。また、同じ調節高さであっても、本実施例の家電製品用底脚はより小さな全体高さを持つことが可能である。
【００９３】
本実施例の好ましい実施形態として、前記案内位置規制凸部は、第１案内位置規制片３０２と第２案内位置規制片３０１を含む。第１案内位置規制片３０２は調整脚３００の外壁に固定される。また、第２案内位置規制片３０１は第１案内位置規制片３０２に固定され、油圧プレート１００に向かって一定の高さを延伸している。本実施例の第１案内位置規制片３０２は、主に、案内位置規制凹溝２０１内で案内位置規制の作用を奏する。また、第２案内位置規制片３０１は、第１案内位置規制片３０２を延長したものに相当する。これにより、いっそう良好な案内位置規制の安定性が備わる。
【００９４】
本実施例の好ましい実施形態として、前記案内位置規制機構は複数設けられ、それぞれカバー２００及び／又は調整脚３００の周方向に分布している。また、前記油圧プレート１００には、案内位置規制機構に対応して複数の退避口１０６が設けられる。このように、複数の案内位置規制機構を設けることで位置規制の安定性が更に増すため、より良好な案内位置規制効果が備わる。
【００９５】
本実施例では、カバー２００内で調整脚３００の上下運動を実現しつつ、周方向の回転を防止するよう、カバー２００の円周上に一定数量の案内位置規制凹溝２０１を設けている。数量をＮとすると、Ｎ≧１である。本発明の図中の例の場合、好ましくは４つとする。
【００９６】
また、調整脚３００の円周上には、対応する案内位置規制凸部が設けられる。数量をＮとすると、Ｎ≧１である。本発明の図中の例の場合、好ましくは４つとする。案内位置規制凸部は案内位置規制溝内で運動可能であり、案内位置規制凹溝２０１の底部の当止端部２０２で位置規制される。これにより、カバー２００からの調整脚３００の脱落が防止される。
【００９７】
家電製品用底脚の高さをできるだけ低くし、より良好な安定性を実現するために、原理上は、調節高さＨ０を低下させることなく、カバー２００、調整脚３００の高さを可能な限り低下させられる。特に、カバーと調整脚が重なる部分を減少させられる。
【００９８】
本実施例の家電製品用底脚の油圧プレート１００は油圧ノズル１０１を有する。油圧ノズル１０１は内部の液体流路と連通する。２つの家電製品用底脚が油圧パイプを介して油圧ノズル１０１にそれぞれ接続されると、２つの家電製品用底脚が連通して、油圧媒体が互いに連通した家電製品用底脚間で流動可能となる。
【００９９】
更に、本実施例の油圧プレートは厚さを増した凸材１０２を有し、前記油圧ノズル１０１が凸材１０２に設置される。これにより、油圧ノズル１０１の直径が増大するため、全体の強度が強化される。
【実施例３】
【０１００】
更に、本実施例は、上記いずれかの実施例で述べた家電製品用底脚を備える家電製品を提供する。当該家電製品はハウジングを含み、ハウジングの底部に複数の前記家電製品用底脚が装着される。家電製品用底脚の内部に充填される油圧媒体は家電製品用底脚間で流動し、レベリングを行うことが可能である。
【０１０１】
好ましくは、連通装置を介して少なくとも２つの家電製品用底脚を連通することで、家電製品用底脚間における油圧媒体の流動を実現する。
【０１０２】
本発明の実施例では洗濯機の場合を例示し、本発明の家電製品用底脚によって洗濯機の自動レベリングを実現する際の原理と方法について詳述する。洗濯機を取り付けたあと、地面が水平でない場合には、家電製品用底脚各々の水平高さが異なり、地面の窪みに位置する家電製品用底脚の位置が低くなる。これから明らかなように、まずは高位置にある家電製品用底脚が洗濯機の重量を受け、且つ、大きな重力を受けるが、低位置にある家電製品用底脚は機能しないか、小さな重力を受ける。
【０１０３】
高位置にある家電製品用底脚の調整脚は大きな圧力がかかって上方に変位するため、底脚の高さ全体が縮小し、油圧媒体が充満したフレキシブル収容体の中空室の容積が圧縮により縮小する。これにより、油圧媒体がオリフィス又は弁孔に進入し、高圧配管を通じて低位置の家電製品用底脚内に進入する。すると、低位置の家電製品用底脚におけるフレキシブル収容体の油圧媒体が増え続け、フレキシブル収容体が膨張することで調整脚を伸長させる。
【０１０４】
高位置の底脚と低位置の底脚の油圧が同等となると、油圧媒体は高圧配管からそれ以上流動しなくなり、調整脚と洗濯機の底板との相対位置もそれ以上変化しなくなる。このようにして、洗濯機の自動調整が完了する。
【０１０５】
洗濯機の洗浄又は脱水の過程でも、油圧媒体は緩やかに流動して自動レベリングを実施可能なため、洗濯機の震動による騒音が大幅に低減する。
【０１０６】
本実施例の油圧媒体には、流動性が良好で成分の安定した作動油を利用可能である。
【０１０７】
また、本発明の上記各実施例における家電製品用底脚は、例えば、冷蔵庫、冷凍庫、エアコン室内機といった洗濯機以外の家電製品にも応用可能である。
【０１０８】
なお、本発明の上記各実施例は単独で実施してもよいし、複数の実施例を組み合わせて実施してもよい。
【０１０９】
以上は本発明の好ましい実施例にすぎず、本発明を何らかの形式に制限するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【図１】
2020529554.tif 000003
【図２】
2020529554.tif 000004
【図３】
2020529554.tif 000005
【図４】
2020529554.tif 000006
【図５】
2020529554.tif 000007
【国際調査報告】
2020529554.tif 000008
2020529554.tif 000009
2020529554.tif 000010
2020529554.tif 000011